【手続補正書】
【提出日】平成18年4月20日(2006.4.20)
【手続補正１】
【補正対象書類名】明細書
【補正対象項目名】特許請求の範囲
【補正方法】変更
【補正の内容】
【特許請求の範囲】
【請求項１】  マスク（６）またはマウスピース（６ａ）と、薬剤供給装置（４８）またはエーロゾル、粉末または気体を供給する他の装置に連結可能なコネクタ（４）とを備えていて子供または幼児により使用される動機付け吸入装置（２）において、
子供または幼児に対して娯楽を提供する一つまたは複数の外部呼気駆動動機付け玩具（１４、１４ａ、３６、４２）を備えており、これら玩具のうちの一つまたは複数の玩具は、該玩具を駆動する吸入／呼気空気の方向性流れを保証するために、一つまたは複数の弁（１８、１８ａ、２４、４１、５４、６４、６６）、フィルタまたはバッフルによって前記吸入装置の一つまたは複数の構成要素から分離されており、
吸入された薬剤が患者の肺に到達する前に前記薬剤が前記玩具を通って引出されず且つ前記玩具を起動するために前記呼気空気が前記玩具を通って排出されるように、前記動機付け玩具が位置決めされる、動機付け吸入装置。
【請求項２】  一つかそれ以上の前記呼気駆動動機付け玩具（１４、１４ａ、３２、３６、４２）が、一つかそれ以上の一方向弁（１８、１８ａ、２４、４１、５４、６４、６６）によって前記吸入装置の一つかそれ以上の構成要素から分離される、請求項１に記載の動機付け吸入装置。
【請求項３】  前記コネクタが、（ｉ）前記コネクタ（４）とそれに連結された薬剤供給装置（４８）の間の化合物または薬剤の漏れを最小にするように一端で前記薬剤供給装置（４８）と密閉式に連結するアパーチャ（８）と、（ｉｉ）前記コネクタを前記マウスピースまたはマスクと取り外し式及び密閉式に連結するねじ付き部分またはスナップ・ロックとを備える、請求項１に記載の動機付け吸入装置。
【請求項４】  前記コネクタ（４）が、前記マウスピース（６）またはマスク（６ａ）内のそれぞれ対抗する雌または雄ねじ付き部分にねじ込まれる雄または雌ねじ付き部分を備える、請求項３に記載の動機付け吸入装置。
【請求項５】  単一外部可視または可聴の吸入駆動玩具（３２）もしくは呼気駆動動機付け玩具（３６）を備える、請求項１に記載の動機付け吸入装置。
【請求項６】  少なくとも一つの可視呼気駆動動機付け玩具が着色回転円盤（２０）を備える、請求項１から５のいずれか一項に記載の動機付け吸入装置。
【請求項７】  前記可視呼気駆動動機付け玩具（１４、３６）および一つまたは複数の追加の可視吸入駆動玩具（１４）ならびに／もしくは可聴呼気駆動玩具（４２）および／または可視吸入駆動玩具（１２、１４ａ、３２、４２）を具備する請求項１から６のいずれか一項に記載の動機付け吸入装置。
【請求項８】  可視呼気駆動動機付け玩具（３６）および可聴呼気駆動動機付け玩具（４２）を備える、請求項７に記載の動機付け吸入装置。
【請求項９】  前記可視呼気駆動動機付け玩具（３６）および可聴呼気駆動動機付け玩具（４２）が直列に連結される、請求項８に記載の動機付け吸入装置。
【請求項１０】  外部可聴吸入駆動動機付け玩具（１２、４２）と、外部可視呼気駆動動機付け玩具（１４、３６）とを備える、請求項７に記載の動機付け吸入装置。
【請求項１１】  少なくとも一つの外部可視吸入駆動動機付け玩具が着色回転円盤（２０）を備える、請求項７に記載の動機付け吸入装置。
【請求項１２】  少なくとも一つの可聴吸入駆動または呼気駆動動機付け玩具が、可逆に取付けられた双方向サイレンまたは笛（１４ａ、４２）もしくは単方向サイレンまたは笛（１２、３２）を備え、それにより、これらが呼気または吸気時に鳴るようにした請求項７から１１のいずれか一項に記載の動機付け吸入装置。
【請求項１３】  前記一つまたは複数の弁（１８、１８ａ、２４、４１、５４、６４、６６）が導管（１０）内に位置決めされており、該導管（１０）は、前記一つまたは複数の追加の可視吸入駆動動機付け玩具（１４）ならびに／もしくは可聴呼気駆動動機付け玩具（４２）および／または可聴吸入駆動動機付け玩具（１２、１４ａ、３２、３６）を前記導管（１０）の内壁と密閉式に連結させる取付部を提供しており、好ましくは前記導管（１０）は前記マスク（６）またはマウスピース（６ａ）および前記コネクタ（４）の両方に密閉式に連結している、請求項７から１２のいずれか一項に記載の動機付け吸入装置。
【請求項１４】  さらに、前記動機付け玩具ユニット（３６、４２）に接続する前記導管１０のアダプタ端の内壁と密閉式に連結して配置された少なくとも一つのベンチュリ管（５５）を備え、前記ベンチュリ管の先細端が、前記動機付け玩具ユニットを通じて、またはその上に進む空気の速度が増大するよう前記動機付け玩具ユニットに十分近接している、請求項１３に記載の動機付け吸入装置。
【請求項１５】  さらに、スペーサユニット（４６）を備える請求項１から１４のいずれか一項に記載の動機付け吸入装置。
【請求項１６】  前記コネクタ（４）が、前記マスク（６）またはマウスピース（６ａ）、前記導管（１０）及びスペーサ（４８）に接続する三つのアダプタ端を備え、少なくとも一つの弁（１８ａ、５４）が、例えば前記導管（１０）に接続するアダプタ端または前記スペーサ（４８）に接続するアダプタ端などの前記アダプタ端の何れか一つまたはそれ以上においてかまたはその内部で前記コネクタの前記内壁と密閉式に連結する前記コネクタ（４）内に配置される、請求項１５に記載の動機付け吸入装置。
【請求項１７】  前記アパーチャ（８）が可撓性であり、かつ／または、多様な薬剤供給ポートに適合するようなプラスチックまたはゴムといった柔軟な材料から構成される、請求項３に記載の動機付け吸入装置。
【請求項１８】  麻酔薬を子供または幼児に投与する動機付け吸入装置において、（ｉ）前記コネクタが薬剤供給チューブ（６０）を具備しており、（ｉｉ）前記動機付け玩具が前記子供または幼児に娯楽を提供する可視呼気駆動動機付け玩具（１４、１４ａ、３６）と可聴呼気駆動動機付け玩具（４２）とを含んでおり、（ｉｉｉ）さらに、前記動機付け吸入装置が前記動機付け玩具に接続されたアダプタ端を含む導管（１０）を具備しており、前記導管（１０）が、前記動機付け玩具（３６、４２）から前記マスク（６）への吸入空気の流れを防止するために前記アダプタの内壁に密閉式に連結する第一の一方向弁（６６）を備えており、動機付け玩具は前記玩具を起動するために呼気が前記玩具を通って排出されるように位置決めされている請求項１から１７のいずれか一項に記載の動機付け吸入装置。
【請求項１９】  前記動機付け玩具が直列に連結される、請求項１８に記載の動機付け吸入装置。
【請求項２０】  さらに、前記マスク（６）から前記薬剤供給チューブ（６０）への呼気空気の流れを防止するため前記薬剤供給チューブ（６０）に並置された前記アダプタの内壁に密閉式に連結する第二の一方向弁（６４）を備える、請求項１８に記載の動機付け吸入装置。
【請求項２１】  さらに、前記動機付け玩具ユニット（３６）に接続する前記導管（１０）の前記アダプタ端の内壁に密閉式に連結して配置された少なくとも一つのベンチュリ管（５５）を備え、前記ベンチュリ管（５５）の先細端が、前記動機付け玩具ユニットを通じて、またはその上に進む呼気空気の速度が増大するよう前記動機付け玩具ユニット（３６）に十分近接している、請求項１８から２０のいずれか一項に記載の動機付け吸入装置。
【請求項２２】  さらに、抗菌フィルタ及び／または結露防止フィルタを備える、請求項１から２１のいずれか一項に記載の動機付け吸入装置。
【請求項２３】  さらに、前記動機付け玩具ユニット（４２）を通じて、またはその上に進む呼気空気が掃気システムに収集されるように、前記呼気駆動動機付け玩具ユニット（４２）に連結する掃気パイプまたはチューブを備える、請求項１８から２２のいずれか一項に記載の動機付け吸入装置。
【請求項２４】  前記薬剤供給装置の二つまたはそれ以上の構成要素が一体部材として形成されている請求項１から２３のいずれか一項に記載の動機付け吸入装置。
【手続補正２】
【補正対象書類名】明細書
【補正対象項目名】００３３
【補正方法】変更
【補正の内容】
【００３３】
本文書において使用される場合、投薬装置の「投薬側端」とは薬物または薬剤が動機付け吸入装置に噴射される投薬装置の口または端、または、吸入装置がない場合、投薬装置から患者の呼吸器系の環境へ薬物または薬剤が噴出される口または端、を意味する。
【手続補正３】
【補正対象書類名】明細書
【補正対象項目名】００４７
【補正方法】変更
【補正の内容】
【００４７】
その代わりにまたはこれに加えて、吐き出し空気の中の微生物、凝結および（または）粒子による汚染を最小限に抑えるために、導管の中、マスクと動機付け玩具の間に交換可能なフィルタを配置することができる。
代替実施態様においては、前記の動機付け吸入装置が起動されるとき確実に投薬されるようにするために、薬剤を含有する空気を、作動上動機付け吸入装置に接続される並行の導管配列を通して吸い込むことができる。このような実施例においては、吸い込み空気は、吸い込み駆動の動機付け玩具を通り過ぎるが、患者の気道に入るまでは薬剤を含有する空気と混合しないまたは接触しない。本発明のこの実施態様においては、吐き出し空気がコネクタ／スペーサ・モジュールを通じて逆流しないようにし、かつ（または）装置が汚染されないようにするために、バルブおよび（または）フィルタを取り付けることも可能である。
【手続補正４】
【補正対象書類名】明細書
【補正対象項目名】図面の簡単な説明
【補正方法】変更
【補正の内容】
【図面の簡単な説明】
【図１】
マスク（６）と連結可能な投薬装置の間に導管を通じて吸い込み駆動および吐き出し駆動の動機付け玩具が配置される、モジュール式動機付け吸入装置の一つの実施態様の断面図である。
【図２】
マスク（６）と連結可能な投薬装置の間に導管を通じて単一の吸い込み駆動の動機付け玩具が配置される、モジュール式動機付け吸入装置の別の実施態様の断面図である。
【図３】
マスク（６）と連結可能な投薬装置の間に導管を通じて単一の吐き出し駆動の動機付け玩具が配置される、モジュール式動機付け吸入装置のさらに別の実施態様の断面図である。
【図４】
マスク（６）と連結可能な投薬装置の間に導管を通じて二つの吸い込み駆動の動機付け玩具が配置される、モジュール式動機付け吸入装置のさらに別の実施態様の断面図である。
【図５】
マスク（６）と連結可能な投薬装置の間に導管を通じて二つの吐き出し駆動の動機付け玩具が配置される、モジュール式動機付け吸入装置のさらに別の実施態様の斜視図である。
【図６】
マスク（６）と連結可能な投薬チューブ（６０）の間に導管を通じて吸い込み駆動の動機付け玩具一つおよび吐き出し駆動の動機付け玩具一つが配置される、モジュール式動機付け吸入装置のさらに別の実施態様の斜視図である。
【図７】
コンジット４、１０の間の追加の弁１８ａを有していて、マスク６でなくてマウスピース６ａのオプションを示している、図５の吸入装置の変更例を示す図である。破線は組立方式を示す。矢印は空気流れの方向を示している。
【図８】
マウスピース６ａとマスク６とのオプションを示していて、薬品供給管６０の代わりに乾燥粉末式吸入剤供給器４８を使用している図６の吸入装置の変更例を示す図である。破線は組立方式を示す。矢印は空気流れの方向を示している。